(57)【要約】【課題】エネルギー源が指定された値を下回ったと計測された場合には扉用錠を手動で開閉できるとすること。【解決手段】エネルギー源１０２を備え開閉を遠隔操作できる開閉システムにおいて、エネルギーを供給するエネルギー源１０２と、エネルギー源１０２の残量を測るエネルギー残量計測手段１０３と、扉を開閉する錠１０５とからなる扉側端末１０１を備え、扉側端末１０１はエネルギー残量計測手段１０３の測定によりエネルギー源１０２が指定された値を下回ったと計測された場合には、鍵穴閉鎖器具１０４を開いて錠１０５が手動で開閉できる。【選択図】図１
2006348620.tif 000002
【特許請求の範囲】
【請求項１】
エネルギー源を備え錠の開閉を遠隔操作できる開閉システムにおいて、
遠隔操作に必要なエネルギーを供給する前記エネルギー源と、前記エネルギー源の残量を測るエネルギー残量計測手段と、前記遠隔操作によって開閉する錠とからなる扉側端末を備え、
前記扉側端末は、前記エネルギー残量計測手段の測定により前記エネルギー源が指定された値を下回ったと計測された場合には、前記錠が手動で開閉できることとした開閉システム。
【請求項２】
エネルギー源を備え錠の開閉を遠隔操作できる開閉システムにおいて、
携帯端末にエネルギーを供給する携帯端末側エネルギー源と、前記携帯端末側エネルギー源の残量を測る携帯端末側エネルギー残量計測手段とからなる前記携帯端末を備え、
前記携帯端末は、前記携帯端末側エネルギー残量計測手段の測定により前記携帯端末側エネルギー源が指定された値を下回ったと計測された場合には、前記錠が手動で開閉できることとした開閉システム。
【請求項３】
前記携帯端末に装備された携帯端末側送受信機から前記扉側端末に装備された扉側送受信機宛てに前記携帯端末側エネルギー残量測定手段の測定結果を送ることにより、前記扉側端末にて前記エネルギー源の残量と前記携帯端末側エネルギー源の残量を把握することとした請求項２記載の開閉システム。
【請求項４】
前記エネルギー残量計測手段にて前記エネルギー源が指定された値を下回った、または前記扉側送受信機にて前記携帯端末側エネルギー源が指定された値を下回ったという情報を受けると、鍵穴を閉鎖する鍵穴閉鎖器具を開き前記錠が手動で開閉できることとしたとした請求項１〜３のいずれか１項に記載の開閉システム。
【請求項５】
前記携帯端末において、
前記鍵穴に差し込み前記錠を開閉させる、または差し込み回転させ前記錠を開閉させる、またはその両方を行う鍵と、前記鍵を前記携帯端末に固定する鍵固定手段を備え、前記鍵固定手段は前記鍵穴閉鎖器具が開いている場合のみ開いていて前記鍵を使用可能とすることとした請求項４に記載の開閉システム。
【請求項６】
請求項１〜５のいずれか１項記載の開閉システムの機能の少なくとも一部をコンピュータに実現させるためのプログラム。
【発明の詳細な説明】
【技術分野】
【０００１】
本発明は扉または錠または両方の開閉を遠隔操作できることとした開閉システムおよびそのプログラムに関するものである。
【背景技術】
【０００２】
従来、この種の開閉システムは交流電源または電池など直流電源によるエネルギー源を用いており、制御端末が従来の扉に内蔵されており、手動または電気的に錠を開閉することができる（例えば、特許文献１参照）。
【０００３】
図６は、特許文献１に記載された従来の開閉システムを示すものである。図６に示すように、扉６０１と、リモコンキー６０２と、送信ボタン６０９と、メカキー６０３と、扉６０１に内蔵する受信部である受信パック６０４と、蓋６１０と、扉６０１を開閉するためのノブ６０５と、鍵穴６０６と、錠６０７と、受信部パック６０４の挿入口６０８とから構成されている。
【０００４】
また受信部パック６０４は図７に示すように受信アンテナ７０１と、ＩＤ登録・抹消部７０２と、受信処理部７０３と、制御処理部７０４と、電源部７０５と、機構部７０６から構成される。
【０００５】
扉６０１の側面には、受信部パック６０４を挿入するための挿入口６０８が設けられており、挿入口６０８に受信部パック６０４を挿入し、蓋６１０で挿入口６０８を塞ぎ、図示していないビス等で固定する。
【０００６】
電源部７０５は、乾電池、充電式バッテリ等を使用し、ＩＤ登録・抹消部７０２、受信処理部７０３、制御処理部７０４、機構部７０６、等の電源となっている。メカキー６０３は、信号送信機能のない、所謂、通常使用されているキーであり、鍵穴６０６に差し込んで回転させれば施解錠することができ、リモコンキー６０２を扉６０１の鍵穴６０６に差し込み、回転させて施解錠することもできる。
【０００７】
ＩＤ登録・抹消部７０２はリモコンキー６０２が扉６０１に適合しているか否かを識別する識別コードＩＤデータを登録抹消する。制御信号は、識別コードＩＤを含む電波信号であり、この制御信号を受信アンテナ７０１で受信して、制御信号に含まれている識別コードＩＤが予め登録されている識別コードＩＤデータと一致したとき施解錠する。
【特許文献１】特開平０９−２５６７０１号公報
【発明の開示】
【発明が解決しようとする課題】
【０００８】
しかしながら、前記従来の構成では、常にメカキーでもリモコンキーでも扉を開けられるように鍵穴があいている。ところが鍵穴を設けていたのではピッキングなどによる進入被害にあう可能性がある。また開閉システムの設置を簡単にするために電池などのエネルギー源を用いた場合、電源が切れた場合には扉が開けなくなってしまう可能性がある。
【０００９】
すなわち、電源への配線は利用せず携帯端末側の電源のみを用い、ピッキング対策を守りつつ、エネルギー源がエネルギー切れになった際に錠を開けることができなくなるという事態を防ぐという課題を有していた。
【００１０】
本発明は、前記従来の課題を解決するもので、エネルギー残量確認手段によりエネルギ
ー源が指定された値を下回った場合には、錠が手動で開閉できることとした開閉システムを提供することを目的とする。
【課題を解決するための手段】
【００１１】
前記従来の課題を解決するために、本発明の開閉システムおよびそのプログラムは、エネルギー源を備え錠の開閉を遠隔操作できる開閉システムにおいて、遠隔操作に必要なエネルギーを供給する前記エネルギー源と、前記エネルギー源の残量を測るエネルギー残量計測手段と、前記遠隔操作によって開閉する錠とからなる扉側端末を備え、前記扉側端末は前記エネルギー残量計測手段の測定により前記エネルギー源が指定された値を下回ったと計測された場合には、前記錠が手動で開閉できることとしたものである。
【００１２】
これによって、エネルギー源を用い複雑な電源への配線を必要としないまま、エネルギー源がエネルギー切れになってしまった場合にも錠が開閉できることとなる。
【発明の効果】
【００１３】
本発明の開閉システムおよびそのプログラムは、エネルギー源が指定された値を下回った場合には、錠を手動で開閉することができる。
【発明を実施するための最良の形態】
【００１４】
第１の発明は、エネルギー源を備え錠の開閉を遠隔操作できる開閉システムにおいて、遠隔操作に必要なエネルギーを供給する前記エネルギー源と、前記エネルギー源の残量を測るエネルギー残量計測手段と、前記遠隔操作によって開閉する錠とからなる扉側端末を備え、前記扉側端末は前記エネルギー残量計測手段の測定により前記エネルギー源が指定された値を下回ったと計測された場合には、前記錠が手動で開閉できることにより、外出している最中にエネルギー源がエネルギー切れになっても錠を開閉できることとなり、閉め出されることを防ぐことができる。
【００１５】
第２の発明は、エネルギー源を備え錠の開閉を遠隔操作できる開閉システムにおいて、携帯端末にエネルギーを供給する携帯端末側エネルギー源と、前記携帯端末側エネルギー源の残量を測る携帯端末側エネルギー残量計測手段とからなる前記携帯端末を備え、前記携帯端末は前記携帯端末側エネルギー残量計測手段の測定により前記携帯端末側エネルギー源が指定された値を下回ったと計測された場合には、前記錠が手動で開閉できることにより、外出している最中にエネルギー源がエネルギー切れになっても錠を開閉できることとなり、閉め出されることを防ぐことができる。
【００１６】
第３の発明は、特に、第２の発明の開閉システムの前記携帯端末に装備された携帯端末側送受信機から前記扉側端末に装備された扉側送受信機宛てに前記携帯端末側エネルギー残量測定手段の測定結果を送ることにより前記扉側端末にて前記エネルギー源の残量と前記携帯端末側エネルギー源の残量を把握することにより、前記携帯用エネルギー源が切れた場合でも前記携帯端末側エネルギー源が切れた場合でも前記錠を手動で開閉することができる。
【００１７】
第４の発明は、特に、第１または第２または第３の発明の開閉システムにおいて、前記エネルギー残量計測手段にて前記エネルギー源が指定された値を下回った、または前記扉側送受信機にて前記携帯端末側エネルギー源が指定された値を下回ったという情報を受けると、鍵穴を閉鎖する鍵穴閉鎖器具を開き前記錠が手動で開閉できることにより、外出している最中にエネルギー源がエネルギー切れになっても錠を開閉できることとなり、閉め出されることを防ぐことができる。
【００１８】
第５の発明は、特に、第４の発明の開閉システムを前記携帯端末において、前記鍵穴に
差し込み前記錠を開閉させる、または差し込み回転させ前記錠を開閉させる、または両方を行う鍵と前記鍵を前記携帯端末に固定する鍵固定手段を備え、前記鍵固定手段は前記鍵穴閉鎖器具が開いている場合のみ開いていて前記鍵を使用可能とすることにより、エネルギー源がエネルギー切れの際に鍵を持っていない、鍵をなくしてしまうことを防ぐことができる。
【００１９】
第６の発明は、開閉システムの機能の少なくとも一部をプログラム化することにより、電気・情報機器、コンピュータ、サーバー等のハードリソースを協働させて本発明の通信システムの少なくとも一部を容易に実現することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における開閉システムの構成図を示すものである。
【００２２】
図１において、扉側端末１０１は、電源への有線による接続を不要としエネルギーを供給するエネルギー源１０２と、エネルギー残量を計測するエネルギー残量計測手段１０３と、鍵穴を閉鎖する鍵穴閉鎖器具１０４と、扉を開閉する錠１０５と、扉または錠１０５の開閉状態を検知する扉側状態通知手段１０６と、携帯端末１１１と通信を行う扉側送受信機１０７と、それらの動作を制御するコントローラ１０８と、それを操作するための操作ボタン１０９と、エネルギー源を交換したことを認識するエネルギー源交換認識手段１１０とからなる。
【００２３】
携帯端末１１１は、扉側端末１０１と通信を行う携帯端末側送受信機１１２と、携帯端末１１１にエネルギーを供給する携帯端末側エネルギー源１１３と、錠の状態を通知する携帯端末側状態通知手段１１４と、エネルギー残量を計測する携帯端末側エネルギー残量計測手段１１５と、それらを制御する携帯端末側コントローラ１１６と、それを操作するための携帯端末側操作ボタン１１７と、携帯端末側エネルギー源を交換したことを認識する携帯端末側エネルギー源交換認識手段１１８とからなる。
【００２４】
本開閉システムは一台の扉側端末１０１と複数の携帯端末１１１を持つことが可能である。
【００２５】
図２は扉側端末のエネルギー残量を検出する手順のフローチャートを示すものである。図３は携帯端末側のエネルギー残量を検出する手順のフローチャートを示すものである。図４は鍵穴閉鎖器具１０４と鍵穴４０４を含む扉側端末１０１の外観図である。図５は携帯端末１１１の外観図を示すものである。
【００２６】
以上のように構成された開閉システムについて、以下その動作、作用を説明する。
【００２７】
まず、この開閉システムを一般家庭が住む一軒家あるいはアパート、マンションに取り付けた場合について説明する。
【００２８】
最初に（１）エネルギー源１０２のエネルギー残量を検出する場合、次に（２）携帯端末側エネルギー源１１２のエネルギー残量を検出する場合について、それぞれ図２と図３を用いて説明する。
【００２９】
まず（１）図２の扉側端末のエネルギー残量を検出する手順のフローチャートのＳ１にてエネルギー残量計測手段１０３はエネルギー源１０２のエネルギー残量を測定する。測
定を行うタイミングは予めコントローラ１０８に一定の時刻や間隔を組み込んでおくこととする。
【００３０】
また利用者がエネルギー残量の確認を行いたいタイミングで携帯端末側操作ボタン１１７または操作ボタン１０９を操作することによって把握することも可能である。
【００３１】
ここで図４（ａ）を用いて扉側端末１０１を扉の内側から見た構成について説明をする。扉側端末１０１は内側に操作ボタン１０９と、扉側状態通知手段１０６は例えば音声発生手段４０１と、発光手段４０２と、表示手段４０３を備えている。
【００３２】
次に、Ｓ２にて予めコントローラ１０８に設定されたエネルギーレベルよりもエネルギー源１０２の残量が上回っている場合には、Ｓ３にて、扉側で状態通知を行う。扉側状態通知手段１０６によりエネルギー残量が一定のレベル以上であることを伝える。
【００３３】
ここで扉側状態通知手段１０６と携帯端末側状態通知手段１１４の通知方法について説明する。両手段ともに同じ構造を用いることも、異なる構造を用いることも可能である。
【００３４】
例えば、扉側状態通知手段１０６と携帯端末側状態通知手段１１４は発光手段４０２を備えており、エネルギーが一定のレベル以上の場合は青く光り、一定のレベル以下の場合は赤く光る等と設定することが可能である。また一定のレベル以下になった場合のみ点灯または音声発生手段４０２から音を鳴らす、または両方などが可能である。
【００３５】
またエネルギー残量を一定のレベルと比較するだけでなく、一定のレベルを下回るまでどれぐらいのエネルギーが残っているかを表示手段４０３でグラフとして表すことも可能である。また携帯端末側状態通知手段１１４においては、振動を用いることも可能である。
【００３６】
利用者がどのような方法にて扉側状態通知手段１０６にエネルギー源１０２状態を知らせて欲しいかは操作ボタン１０９を押すことにより選択可能である。
【００３７】
次にＳ４にてエネルギーあり情報を携帯端末１１１へ扉側送受信機１０７により送信する。
【００３８】
Ｓ５にて携帯端末１１１はエネルギーあり情報を携帯端末側送受信機１１２により受信する。これにより扉側端末１０１と携帯端末１１１の両方でエネルギー源１０２の残量が一定のレベル以上であるという共通の認識をもつ。
【００３９】
ここで図５を用いて携帯端末１１１の構成について説明する。携帯端末１１１は、携帯端末側操作ボタン１１７と、携帯端末側状態通知手段１１４と、鍵５０１と、鍵固定手段１１９とを備えており、携帯端末側状態通知手段１１４は、例えば携帯端末側発光手段５０２と、携帯端末側音声発生手段５０３と、携帯端末側表示手段５０４とを備えている。
【００４０】
そしてＳ６にて携帯端末１１１は、携帯端末側状態通知手段１１４を用いてエネルギー源１０２のエネルギー残量が一定のレベル以上であることを携帯端末側音声発生手段５０３により音または携帯端末側発光手段５０２により光または携帯端末側表示手段５０４によりグラフのうち少なくとも１つを使い伝える。
【００４１】
利用者がどのような方法にて携帯端末側状態通知手段１１４にエネルギー源１０２状態を知らせて欲しいかは操作ボタン１０９または携帯端末側操作ボタン１１７をおすことにより選択可能である。
【００４２】
また錠１０５の開閉も同じように携帯端末側操作ボタン１１７を押すことにより開閉することが可能であり、錠１０５の状態が光るようになっている。またエネルギー削減のため錠１０５の状態を確認したい場合のみ携帯端末側操作ボタン１１７が光るよう設定することも可能である。
【００４３】
次にＳ２にてエネルギー源１０２のエネルギー残量が一定のレベル以下であった場合について説明する。
【００４４】
Ｓ７にてコントローラ１０８はエネルギー残量計測手段１０３の結果を読み取ることによりエネルギー源１０２のエネルギー残量が一定のレベル以下ということを認識し、鍵穴閉鎖器具１０４を開く。
【００４５】
この場合、図４（ｂ）の扉側端末１０１を扉の外に面する側から見た図に示すように例えば鍵穴閉鎖器具１０４が扉側端末１０１の上側にずらすなどし、鍵穴４０４に鍵をさすことが可能になる。
【００４６】
そして鍵５０１は図５（ｂ）に示すように鍵固定手段１１９により携帯端末１１１に固定されている鍵５０１は取り出せる構成になっており、エネルギー残量が一定のレベル以下の際には鍵穴４０４にさすことが可能となる。
【００４７】
またエネルギー残量が一定のレベル以下の場合のみ鍵固定手段１１９が鍵５０１を取り出せるようにするよう携帯端末側コントローラ１１６を設定することも可能である。
【００４８】
次にＳ８にて扉側端末１０１は扉側状態通知手段１０６を用いてエネルギー残量が一定のレベル以下であることを音または光または画像のうち少なくとも１つを使い伝える。
【００４９】
次にＳ９にて扉側端末１０１はエネルギー切れ情報を携帯端末１１１へ扉側送受信機１０７を用いて送信する。
【００５０】
そしてＳ１０にて携帯端末１１１はエネルギー切れ情報を携帯端末側送受信機１１２により受信する。
【００５１】
ここでエネルギー残量が一定のレベル以下の場合のみ鍵５０１が取り出せる設定にした場合には、Ｓ１１にて鍵固定手段１１９を開ける。
【００５２】
次にＳ１２にて携帯端末側コントローラ１１６は携帯端末側送受信機１１２が受信したエネルギー切れ情報を読み取ることによりエネルギー源１０２のエネルギー残量が一定のレベル以下ということを認識し、携帯端末側状態通知手段１１４により音または光または画像のうち少なくとも１つを使い伝える。
【００５３】
エネルギー切れ状態に気がついた利用者はエネルギー源１０２を交換し、Ｓ１３にてエネルギー源交換認識手段１１０はエネルギー源１０２が交換されたことを認識する。この際、利用者が誤ってエネルギー切れのエネルギー源１０２を補給してしまう可能性もあるため、Ｓ１４にて再度エネルギー残量の測定をエネルギー残量計測手段１０３により行う。
【００５４】
Ｓ１５にてエネルギー残量が一定のレベル以下であるとエネルギー残量計測手段１０３により測定されてしまった場合にはすぐに利用者が気づくように、Ｓ１６にて音を利用して扉側状態通知手段１０６によりエネルギー切れ状態を知らせる。
【００５５】
Ｓ１５にてエネルギー源１０２のエネルギー残量が一定のレベル以上の場合、Ｓ１７にてコントローラ１０８はエネルギー残量計測手段１０３の結果を読み取ることによりエネルギー源１０２のエネルギー残量が一定のレベル以上ということを認識し、鍵穴閉鎖器具１０４を閉める。
【００５６】
またエネルギー残量が一定のレベル以下の場合のみ鍵５０１が取り出せる設定にした場合には、Ｓ１８にて鍵固定手段１１９を閉める。
【００５７】
次にＳ１９にて扉側端末１０１は扉側状態通知手段１０６を用いてエネルギー残量が一定のレベル以上であることを音または光または画像のうち少なくとも１つを使い伝える。
【００５８】
次にＳ２０にて扉側端末１０１はエネルギーあり情報を携帯端末１１１へ扉側送受信機１０７を用いて送信する。
【００５９】
そしてＳ２１にて携帯端末１１１はエネルギーあり情報を携帯端末側送受信機１１２により受信する。
【００６０】
最後にＳ２２にて携帯端末側コントローラ１１６は携帯端末側送受信機１１２が受信したエネルギーあり情報を読み取ることによりエネルギー源１０２のエネルギー残量が一定のレベル以上ということを認識し携帯端末側状態通知手段１１４により音または光または画像のうち少なくとも１つを使い伝える。
【００６１】
なお、本実施の形態にて１つの携帯端末１１１が利用されている場合を説明したが、携帯端末１１１が複数存在する場合、扉側端末１０１から携帯端末１１１あてに送信される情報は全ての携帯端末１１１に送信される。
【００６２】
次に（２）携帯端末側エネルギー源１１２のエネルギー残量が一定のレベル以下になってしまった場合について図３のフローチャートを用いて説明する。
【００６３】
まずＳ２３にて携帯端末側エネルギー残量計測手段１１５は携帯端末側エネルギー源１１３のエネルギー残量を測定する。測定を行うタイミングは予め携帯端末側コントローラ１１６に一定の時刻や間隔を設定する。
【００６４】
また利用者がエネルギー残量の確認を行いたいタイミングで携帯端末側操作ボタン１１７を操作することによって把握することも可能である。
【００６５】
次にＳ２４にて予め携帯端末側コントローラ１１６に設定されたエネルギーレベルよりも携帯端末側エネルギー源１１３の残量が上回っている場合には、Ｓ２５にて、携帯端末側で状態通知を行う。携帯端末側状態通知手段１１４によりエネルギー残量が一定のレベル以上であることを伝える。
【００６６】
次にＳ２６にてエネルギーあり情報を扉側端末１０１へ携帯端末側送受信機１１２により送信する。
【００６７】
Ｓ２７にて扉側端末はエネルギーあり情報を扉側送受信機１０７により受信する。そしてＳ２８にて扉側端末１０１は扉側状態通知手段１０６を用いて携帯端末側エネルギー源１１３のエネルギー残量が一定のレベル以上であることを音または光または画像のうち少なくとも１つを使い伝える。
【００６８】
次にＳ２４にて携帯端末側エネルギー源１１３のエネルギー残量が一定のレベル以下であった場合について説明する。
【００６９】
Ｓ２９にて携帯端末側コントローラ１１６は携帯端末側エネルギー残量計測手段１１５の結果を読み取ることにより携帯端末側エネルギー源１１３のエネルギー残量が一定のレベル以下であるということを認識し、Ｓ３０にてエネルギー切れ情報を携帯端末側送受信機１１２により扉側端末１０１へ送信する。
【００７０】
Ｓ３１にて扉側端末１０１は扉側送受信機１０７にてエネルギー切れ情報を受信し、Ｓ３２にて鍵穴閉鎖器具１０４を開く。
【００７１】
ここでエネルギー残量が一定のレベル以下の場合のみ鍵５０１が取り出せる設定にした場合には、Ｓ３３にて鍵固定手段１１９を開ける。
【００７２】
Ｓ３４にて扉側状態通知手段１０６を用いて携帯端末側エネルギー源１１３のエネルギー残量が一定のレベル以下であることを音または光または画像のうち少なくとも1つを使い伝える。
【００７３】
エネルギー切れ状態に気がついた利用者は携帯端末側エネルギー源１１３を交換し、Ｓ３５にて携帯端末側エネルギー源交換認識手段１１８が交換されたことを認識する。この際利用者が誤ってエネルギー切れの携帯端末側エネルギー源１１３を補給してしまう可能性もあるため、Ｓ３６にて再度エネルギー残量の測定を携帯端末側エネルギー残量計測手段１１５により行う。
【００７４】
Ｓ３７にてエネルギー残量が一定のレベル以下であるとエネルギー残量計測手段１１５により測定されてしまった場合には利用者がすぐにそれに気がつくように、Ｓ３８にて音を利用して携帯端末側状態通知手段１１４によりエネルギー切れ状態を知らせる。
【００７５】
ここでエネルギー残量が一定のレベル以下の場合のみ鍵５０１が取り出せる設定にした場合には、Ｓ３９にて鍵固定手段１１９を開ける。
【００７６】
またＳ３７にて携帯端末側エネルギー源１１３のエネルギー残量が一定のレベル以上の場合、Ｓ４０にて携帯端末１１１は携帯端末側状態通知手段１１４を用いてエネルギー残量が一定のレベル以上であることを音または光または画像のうち少なくとも1つを使い伝える。
【００７７】
Ｓ４１にて携帯端末１１１はエネルギーあり情報を携帯端末側送受信機１１２により扉側端末１０１へ送信する。
【００７８】
Ｓ４２にて扉側端末１０１はエネルギーあり情報を扉側送受信機１０７により受信する。
【００７９】
Ｓ４３にてコントローラ１０８は受信したエネルギーあり情報を読み取ることにより携帯端末側エネルギー源１１３のエネルギー残量が一定のレベル以上であることを認識し、鍵穴閉鎖器具１０４を閉める。
【００８０】
最後にＳ４４にて扉側端末１０１は扉側状態通知手段１０６を用いてエネルギー残量が一定のレベル以上であることを音または光または画像のうち少なくとも1つを使い伝える。
【００８１】
複数の携帯端末１１１が存在し、１つの携帯端末１１１の携帯端末側エネルギー源１１２がエネルギー切れになってしまった場合、エネルギー切れになった端末から扉側端末１０１へエネルギー切れ情報がおくられ、鍵穴閉鎖器具１０４が開き、開いたことが全ての携帯端末１１１へ送られる。
【００８２】
以上のように、本実施の形態においてはコントローラ１０８によりエネルギー源１０２が指定された値を下回った場合には、錠１０５が手動で開閉することができるとすることにより、エネルギー源１０２が切れても錠１０５をあけることが可能となり閉めだされることを防ぐことができる。また、携帯端末側コントローラ１１６により携帯端末側エネルギー源１１３が指定された値を下回った場合には、錠１０５が手動で開閉することができるとすることにより、携帯端末側エネルギー源１０２が切れても錠１０５をあけることが可能となり閉めだされることを防ぐことができる。
【００８３】
なお、本発明の実施の形態で説明した鍵穴閉鎖器具および鍵固定手段は図４、図５の方式に限るものでなく、一例であって、これ以外の方法であってもよい。
【００８４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８５】
以上のように、本発明にかかる開閉システムおよびそのプログラムは、エネルギー残量確認手段によりエネルギー源が指定された値を下回った場合には、錠が手動で開閉できることとした開閉システムを提供することが可能となるので、自動車の開閉システム等の用途にも適用できる。
【図面の簡単な説明】
【００８６】
【図１】本発明の実施の形態１における開閉システムの構成図
【図２】本発明の実施の形態１における扉側のエネルギー残量を検出する手順のフローチャート
【図３】本発明の実施の形態１における携帯端末側のエネルギー残量を検出する手順のフローチャート
【図４】本発明の実施の形態１における扉側端末の外観図
【図５】本発明の実施の形態１における携帯端末の外観図
【図６】従来の開閉システムの外観図
【図７】従来の開閉システムの受信部パックのブロック図
【符号の説明】
【００８７】
１０１  扉側端末
１０２  エネルギー源
１０３  エネルギー残量計測手段
１０４  鍵穴閉鎖器具
１０５  錠
１０６  扉側状態通知手段
１０７  扉側送受信機
１０８  コントローラ
１０９  操作ボタン
１１１  携帯端末
１１２  携帯端末側送受信機
１１３  携帯端末側エネルギー源
１１４  携帯端末側状態通知手段
１１５  携帯端末側エネルギー残量計測手段
１１６  携帯端末側コントローラ
１１７  携帯端末側操作ボタン
１１９  鍵固定手段
４０４  鍵穴
５０１  鍵
【図１】
2006348620.tif 000003
【図２】
2006348620.tif 000004
【図３】
2006348620.tif 000005
【図６】
2006348620.tif 000006
【図７】
2006348620.tif 000007
【図４】
2006348620.tif 000008
【図５】
2006348620.tif 000009